(57)【要約】【課題】開口部を構成する２枚の樹脂シートの各外側にそれぞれ指を挿入するような面倒な操作を不要としつつ、開口部を片手で開口状態に保持することが容易とされる、新規な構造の医療用バッグを提供する。【解決手段】液状体の収容領域１２を内部に備えた袋状の医療用バッグ１０において、互いに重ね合わされた表面側シート１４と裏面側シート１６が下辺部分と両側辺部分で固定されて、上方に開口する収容領域１２が表面側シート１４と裏面側シート１６の重ね合わせ面間に形成されている一方、収容領域１２の開口部分２５には、表面側シート１４と裏面側シート１６よりも変形剛性が大きくされた剛性部材２６が設けられていると共に、表面側シート１４と裏面側シート１６の何れか一方の側にのみ、横方から手指を挿し入れる挿入部３６が、剛性部材２６の外側に位置して設けられている。【選択図】図２
2019170937.tif 000002
【特許請求の範囲】
【請求項１】
液状体の収容領域を内部に備えた袋状の医療用バッグにおいて、
互いに重ね合わされた表面側シートと裏面側シートが下辺部分と両側辺部分で固定されて、上方に開口する前記収容領域が該表面側シートと該裏面側シートの重ね合わせ面間に形成されている一方、
該収容領域の開口部分には、該表面側シートと該裏面側シートよりも変形剛性が大きくされた剛性部材が設けられていると共に、
該表面側シートと該裏面側シートの何れか一方の側にのみ、横方から手指を挿し入れる挿入部が、該剛性部材の外側に位置して設けられていることを特徴とする医療用バッグ。
【請求項２】
液状体の収容領域を内部に備えた袋状の医療用バッグにおいて、
互いに重ね合わされた表面側シートと裏面側シートが下辺部分と両側辺部分で固定されて、上方に開口する前記収容領域が該表面側シートと該裏面側シートの重ね合わせ面間に形成されている一方、
該収容領域の開口部分において、該表面側シートと該裏面側シートよりも変形剛性が大きくされた剛性部材が設けられていると共に、該表面側シートと該裏面側シートの何れか一方の側のみには、横方から手指を挿し入れる挿入部が設けられており、該剛性部材と該挿入部とが設けられている部分が一定幅のストレート形状で延びていることを特徴とする医療用バッグ。
【請求項３】
前記剛性部材がプラスチックファスナーにより構成されており、該プラスチックファスナーの開閉操作により前記収容領域の開口部が開閉されるようになっている請求項１又は２に記載の医療用バッグ。
【請求項４】
前記表面側シートと前記裏面側シートにおいて、前記挿入部が設けられたシートとは反対のシートに対して目盛りが表示されている請求項１〜３の何れか１項に記載の医療用バッグ。
【請求項５】
前記挿入部が、外面側シートと内面側シートとが互いに固定されることで形成されている請求項１〜４の何れか１項に記載の医療用バッグ。
【請求項６】
前記表面側シートと前記裏面側シートにおいて、前記挿入部が設けられたシートとは反対のシート側には、手指で引っ張ることのできる引張タブが設けられている請求項１〜５の何れか１項に記載の医療用バッグ。
【請求項７】
前記引張タブにおいて、バッグ吊下用の係止孔が設けられている請求項６に記載の医療用バッグ。
【発明の詳細な説明】
【技術分野】
【０００１】
本発明は、医療分野で用いられて栄養液や薬液、輸液等の液状体を収容する医療用バッグに関する。
【背景技術】
【０００２】
医療分野では、薬液や輸液などの液状体が用いられるが、そのような液状体の取り扱いに医療用バッグが利用されている。例えば、患者の鼻腔から挿し入れられたチューブを通じて栄養液や薬液を胃等へ投与する経腸栄養法では、所定量の栄養液や薬液を収容しておく栄養剤補給用バッグが利用されている。
【０００３】
このような医療用バッグでは、一般に軟質合成樹脂製のシートが袋状に加工されて、液状体の収容領域が内部に形成されており、上方に向かって開口する開口部が設けられている。
【０００４】
ところで、医療用バッグを使用する際には、栄養液や薬液などの液状体を開口部から注ぎ入れる作業が行われる。この注入作業は、一般に一人で行われ、一方の手で医療用バッグの開口部を開いた状態に保ちつつ、他方の手で持ったカップを傾けて、カップ内に収容された液状体を医療用バッグへ開口部から注ぎ入れることによって行われる。
【０００５】
ところが、医療用バッグの袋本体が軟質の樹脂シートで形成されていることから、開口部から液状体を注ぎ入れる際に開口部を一定に開いた状態に保ち難いという問題があった。
【０００６】
なお、このような問題に鑑み、特開２０１１−７８７３７号公報（特許文献１）には、開口部を構成する２枚の樹脂シートの各外面にシート状の開閉操作部を固定して両樹脂シートの外側にそれぞれ指挿入用の孔を設けることにより、各開閉操作部に挿入した両方の指を互いに遠ざけるように開くことで開口部を開口状態に保持できるようにした構造が提案されている。
【０００７】
しかし、かかる特許文献１に記載の構造では、互いに重ね合わされて内部に収容領域を形成する２枚の樹脂シートに対して、それぞれ、開閉操作部の上縁部と下縁部を固着しなければならないために製造が難しいという問題があった。しかも、使用に際しては、表裏をなす２枚の樹脂シートのそれぞれの外面に固定された開閉操作部へ各指を挿し入れなければならないために、操作が面倒で時間もかかる場合があった。また、指を開き続けた状態で液状体が医療用バッグ内に充填されることから、液状体の重量が開いた状態の各指に加わり、充填量が大きくなると、その状態を維持し続けることが難しかった。
【先行技術文献】
【特許文献】
【０００８】
【特許文献１】特開２０１１−７８７３７号公報
【発明の概要】
【発明が解決しようとする課題】
【０００９】
本発明は、上述の事情を背景に為されたものであって、その解決課題とするところは、開口部を構成する２枚の樹脂シートの各外側にそれぞれ指を挿入するような面倒な操作を不要としつつ、開口部を片手で開口状態に保持することが容易とされる、新規な構造の医療用バッグを提供することにある。
【課題を解決するための手段】
【００１０】
以下、このような課題を解決するために為された本発明の態様を記載する。なお、以下に記載の各態様において採用される構成要素は、可能な限り任意の組み合わせで採用可能である。
【００１１】
本発明の第１の態様は、液状体の収容領域を内部に備えた袋状の医療用バッグにおいて、互いに重ね合わされた表面側シートと裏面側シートが下辺部分と両側辺部分で固定されて、上方に開口する前記収容領域が該表面側シートと該裏面側シートの重ね合わせ面間に形成されている一方、該収容領域の開口部分には、該表面側シートと該裏面側シートよりも変形剛性が大きくされた剛性部材が設けられていると共に、該表面側シートと該裏面側シートの何れか一方の側にのみ、横方から手指を挿し入れる挿入部が、該剛性部材の外側に位置して設けられていることを、特徴とするものである。
【００１２】
本態様の医療用バッグにおいては、剛性部材の外側に位置して挿入部が設けられていることから、表面側及び裏面側シートの一方の側のみに設けられた挿入部へ手指を挿し入れて、剛性部材の外側に手指をあてがうようにして収容領域の開口部分を保持することができる。そして、かかる開口部分では、液状体の収容領域を構成する表面側及び裏面側シートが剛性部材を巧く利用して補強され得ることから、一方の側のシートを手の内面に沿わせるようにして他方の側のシートを開くことで、開口部分を目的とする開口形状に安定して保持することが可能になる。
【００１３】
特に本態様では、剛性部材の外側に挿入部が位置していることから、一方の側のシートにおける剛性部材による補強部位の外側に手を重ね合わせることができ、かかる補強部位に対して直接に形状を与えて保持することが可能になる。それ故、開口部分を目的とする開口形状に一層精度良く形付けることができると共に、開口部分をより大きな把持力をもって一層安定して保持することも可能になる。
【００１４】
本発明の第２の態様は、液状体の収容領域を内部に備えた袋状の医療用バッグにおいて、互いに重ね合わされた表面側シートと裏面側シートが下辺部分と両側辺部分で固定されて、上方に開口する前記収容領域が該表面側シートと該裏面側シートの重ね合わせ面間に形成されている一方、該収容領域の開口部分において、該表面側シートと該裏面側シートよりも変形剛性が大きくされた剛性部材が設けられていると共に、該表面側シートと該裏面側シートの何れか一方の側のみには、横方から手指を挿し入れる挿入部が設けられており、該剛性部材と該挿入部とが設けられている部分が一定幅のストレート形状で延びていることを、特徴とするものである。
【００１５】
本態様の医療用バッグでは、手指の挿入部を備えた開口部分が一定幅のストレート形状とされており、当該開口部分に剛性部材が設けられている。それ故、かかる開口部分では、液状体の収容領域を構成する表面側及び裏面側シートが剛性部材を巧く利用して補強され得ることから、一方の側のシートを手の内面に沿わせるようにして他方の側のシートを開くことで、開口部分を目的とする開口形状に安定して保持することが可能になる。
【００１６】
特に本態様では、手が外側に添えられる開口部分が、剛性部材の配設部位を含めて一定幅のストレート形状とされていることから、手の内面に沿って外側に凸となる湾曲形状を開口部分に与えやすく、且つ、剛性部材の配設部位にまで当該湾曲形状を及ぼしやすい。
【００１７】
本発明の第３の態様は、前記第１又は第２の態様に係る医療用バッグにおいて、前記剛性部材がプラスチックファスナーにより構成されており、該プラスチックファスナーの開閉操作により前記収容領域の開口部が開閉されるようになっているものである。
【００１８】
本態様の医療用バッグによれば、収容領域を開閉可能とするプラスチックファスナーを巧く利用して剛性部材が構成されることから、プラスチックファスナーに加えて剛性部材を別途設ける手間やコストなどが低減され得る。
【００１９】
本発明の第４の態様は、前記第１〜第３の何れかの態様に係る医療用バッグであって、前記表面側シートと前記裏面側シートにおいて、前記挿入部が設けられたシートとは反対のシートに対して目盛りが表示されているものである。
【００２０】
本態様の医療用バッグによれば、挿入部と目盛りが重なって設けられることで目盛りが視認しづらくなることが回避される。また、目盛りが、挿入部に挿入される手指の陰に隠れて視認できなくなるおそれも低減され得る。
【００２１】
本発明の第５の態様は、前記第１〜第４の何れかの態様に係る医療用バッグにおいて、前記挿入部が、外面側シートと内面側シートとが互いに固定されることで形成されているものである。
【００２２】
本態様の医療用バッグによれば、樹脂シートのみで挿入部が形成され得る。
【００２３】
本発明の第６の態様は、前記第１〜第５の何れかの態様に係る医療用バッグであって、前記表面側シートと前記裏面側シートにおいて、前記挿入部が設けられたシートとは反対のシート側には、手指で引っ張ることのできる引張タブが設けられているものである。
【００２４】
本態様の医療用バッグによれば、表面側シートと裏面側シートの何れか一方に設けられた挿入部に手指を挿し入れて開口部を把持しつつ、表面側シートと裏面側シートの何れか他方に設けられた引張タブを手指で引っ張ることで、２枚の樹脂シートのそれぞれに手指を挿入することなく、収容領域の開口部が容易に開口状態とされ得る。
【００２５】
本発明の第７の態様は、前記第６の態様に係る医療用バッグであって、前記引張タブにおいて、バッグ吊下用の係止孔が設けられているものである。
【００２６】
本態様の医療用バッグによれば、係止孔を設ける領域を別途確保する必要がなく、引張タブを巧く利用して係止孔を形成することができる。
【発明の効果】
【００２７】
本発明に従う構造とされた医療用バッグによれば、手指を挿し入れる挿入部が、表面側シートと裏面側シートの何れか一方の側にのみ設けられることから、両側の樹脂シートのそれぞれに手指を挿し入れるという面倒な操作が回避され得る。また、剛性部材を巧く利用することで、本発明のように表面側シートと裏面側シートの何れか一方のみに手指が挿し入れられる場合にも、開口部がより確実に開口状態で保持され得る。
【図面の簡単な説明】
【００２８】
【図１】本発明の第１の実施形態としての医療用バッグを示す正面図。
【図２】図１に示された医療用バッグの背面図。
【図３】図１に示された医療用バッグを背面側から示す分解斜視図。
【図４】図１に示された医療用バッグにおいて挿入部に手指を挿し入れて開口部を開口状態で保持した状態を説明するための説明図。
【図５】本発明の第２の実施形態としての医療用バッグを示す正面図。
【図６】図５に示された医療用バッグの背面図。
【図７】図５に示された医療用バッグを背面側から示す分解斜視図。
【図８】図５に示された医療用バッグにおいて挿入部に手指を挿し入れて開口部を開口状態で保持した状態を説明するための説明図。
【図９】本発明の第３の実施形態としての医療用バッグを示す正面図。
【図１０】図９に示された医療用バッグの背面図。
【図１１】図９に示された医療用バッグを背面側から示す分解斜視図。
【図１２】本発明の第４の実施形態としての医療用バッグを示す正面図。
【図１３】図１２に示された医療用バッグの背面図。
【図１４】図１２に示された医療用バッグを背面側から示す分解斜視図。
【図１５】本発明の第５の実施形態としての医療用バッグを示す正面図。
【図１６】図１５に示された医療用バッグの背面図。
【図１７Ａ】図１５に示された医療用バッグにおいて挿入部に手指を挿し入れて開口部を開口状態で保持した状態を説明するための説明図。
【図１７Ｂ】図１５に示された医療用バッグにおいて別の持ち方をした状態を説明するための説明図。
【図１８】本発明の別の態様としての医療用バッグを示す正面図。
【図１９】図１８に示された医療用バッグの背面図。
【図２０】図１８に示された医療用バッグを背面側から示す分解斜視図。
【図２１】本発明の更に別の態様としての医療用バッグを示す正面図。
【図２２】図２１に示された医療用バッグの背面図。
【図２３】図２１に示された医療用バッグを背面側から示す分解斜視図。
【発明を実施するための形態】
【００２９】
以下、本発明を更に具体的に明らかにするために、本発明の実施形態について、図面を参照しつつ、詳細に説明する。
【００３０】
先ず、図１，２には、本発明の第１の実施形態としての医療用バッグ１０が示されている。この医療用バッグ１０は袋状とされており、内部には、液状体が収容される収容領域１２が形成されている。そして、かかる収容領域１２に、栄養液や薬液、輸液などが収容されることで、医療用バッグ１０が、栄養剤補給用バッグや輸液バッグとして利用されるようになっている。なお、以下の説明において、上下方向とは、使用時に略鉛直方向とされる図１，２中の上下方向をいう。
【００３１】
より詳細には、医療用バッグ１０は、図３にも示されているように、正面側に位置する表面側シートとしての第１のシート１４と背面側に位置する裏面側シートとしての第２のシート１６が相互に重ね合わされることで構成されており、これら両シート１４，１６の重ね合わせ面間に収容領域１２が形成されている。
【００３２】
第１のシート１４および第２のシート１６は、軟質の合成樹脂により形成された薄肉の部材とされており、有色または無色の透明とされている。本実施形態では、両シート１４，１６が相互に同形状とされて、且つ同じ材質で形成されており、それ故、同じ部材を使用することが可能となっている。これら第１および第２のシート１４，１６は、それぞれ上下方向が長手方向とされる縦長の略矩形状とされている。特に、本実施形態では、第１および第２のシート１４，１６の上側部分１８，１８が、下側部分２０，２０に比べて幅方向寸法（図１，２中の左右方向寸法）が小さくされている。また、これら上側部分１８および下側部分２０は、何れも、幅方向両側縁部が上下方向にストレートに延びており、それぞれ一定の幅寸法のストレート形状とされている。なお、第１および第２のシート１４，１６の上下方向中間部分に位置する、上側部分１８と下側部分２０との接続部分では、幅方向両側縁部が下方に向かって次第に広がる傾斜部分２２，２２とされている。
【００３３】
そして、第１のシート１４と第２のシート１６とが相互に重ね合わされて、下辺部分と幅方向両側辺部分とにおいて互いに固定されている。これにより、第１のシート１４と第２のシート１６との重ね合わせ面間に縦長形状の収容領域１２が形成されており、当該収容領域１２が上方に開口している。すなわち、第１および第２のシート１４，１６において互いに溶着されていない上端縁（上辺部分）が、収容領域１２の開口部２４とされている。なお、以下の説明では、第１および第２のシート１４，１６の上側部分１８，１８によって構成された小幅ストレートな部分を、収容領域１２の開口部分２５とする。
【００３４】
ここで、本実施形態では、収容領域１２の開口部分２５における上下方向の中央よりも上端縁の開口部２４に近い位置において、第１のシート１４と第２のシート１６の重ね合わせ面間を幅方向の略全長に亘って延びるプラスチックファスナー２６が設けられている。そして、このプラスチックファスナー２６の開閉操作に伴い、収容領域１２の開口部２４が開閉可能とされている。
【００３５】
すなわち、第１のシート１４における上側部分１８の内面には、プラスチックファスナー２６を構成する凸条２６ａが設けられている一方、第２のシート１６における上側部分１８の内面には、プラスチックファスナー２６を構成する凹溝２６ｂが設けられており、これら凸条２６ａおよび凹溝２６ｂが相互に噛合することでプラスチックファスナー２６および開口部２４が閉状態とされるようになっている。本実施形態では、これら凸条２６ａおよび凹溝２６ｂが、第１のシート１４および第２のシート１６の上端から所定距離だけ下方に離隔した位置に設けられている。なお、これら凸条２６ａや凹溝２６ｂは、第１および第２のシート１４，１６において、相互に反対に設けられてもよい。
【００３６】
特に、本実施形態では、凸条および凹溝２６ａ，２６ｂが、第１および第２のシート１４，１６に対して別部材とされて後固着されている。なお、これら凸条および凹溝２６ａ，２６ｂは、幅方向両側（上下方向両側）に延び出すシート状部２７，２７を一体的に備えている。また、これら凸条および凹溝２６ａ，２６ｂの変形剛性は、第１および第２のシート１４，１６よりも大きいことが好ましいが、何等限定されるものではなく、かかる凸条２６ａや凹溝２６ｂが第１のシート１４および第２のシート１６に設けられることで、第１および第２のシート１４，１６における凸条および凹溝２６ａ，２６ｂの配設位置の変形剛性が向上される。それ故、本実施形態では、第１のシート１４および第２のシート１６よりも変形剛性が大きい剛性部材が、凸条２６ａおよび凹溝２６ｂからなるプラスチックファスナー２６により構成されている。
【００３７】
また、本実施形態では、第１のシート１４と第２のシート１６との固定が、熱溶着（ヒートシール）により行われている。すなわち、第１のシート１４と第２のシート１６において、外周縁部における下辺部分と幅方向両側辺部分には、所定の幅寸法をもって連続して延びる溶着部２８が設けられている。尤も、第１のシート１４と第２のシート１６との固定手段は、熱溶着に限定されるものではなく、熱以外の超音波などを利用した溶着であってもよいし、例えば接着など、従来公知の固着手段などにより固定され得る。
【００３８】
すなわち、これら第１のシート１４や第２のシート１６などは、熱溶着が可能とされたシーラント層が設けられた構造とされており、溶着される面の略全面に亘ってシーラント層が設けられている。本実施形態では、第１のシート１４の内面、第２のシート１６の内外両面、後述する第３のシート３４の内面、および凸条および凹溝２６ａ，２６ｂに設けられるシート状部２７，２７の外面にシーラント層が設けられている。第１のシート１４や第２のシート１６などを構成する材質は、強度や印刷等、要求される特性などに応じて選択されて積層され得るものであり、何等限定されるものではない。
【００３９】
さらに、これら第１のシート１４と第２のシート１６の重ね合わせ面間において、下辺部分には、硬質の合成樹脂からなる略筒状のポート部材３０が配されて固着されている。なお、当該ポート部材３０の固着方法は何等限定されるものではないが、例えば上記の如き第１のシート１４と第２のシート１６との熱溶着が、ポート部材３０の配設箇所を除いた位置で行われた後に、ポート部材３０を所定位置に配設して、溶着や接着により固着されてもよい。あるいは、第１のシート１４と第２のシート１６との間にポート部材３０を挟んだ状態で熱溶着が行われることで、第１のシート１４と第２のシート１６の固着と同時にポート部材３０が固着されてもよい。かかるポート部材３０は、収容領域１２の内外を連通しており、当該ポート部材３０に接続される図示しないカテーテルなどを通じて、収容領域１２に収容された液状体が患者の体内に注入されるようになっている。
【００４０】
なお、ポート部材３０は、カテーテル等の外部流路を収容領域１２に連通接続し得るものであれば良く、限定されない。また、外部流路を構成するカテーテルの一方の端部を第１のシート１４と第２のシート１６との間に挟んで固着して、収容領域１２へ直接に連通させてもよい。
【００４１】
更にまた、本実施形態では、第１のシート１４に目盛り３２が付されており、特に本実施形態では、第１のシート１４の外面に対して目盛り３２が印刷されている。これにより、収容領域１２に収容された液状体の収容量が、外部から目視で把握できるようになっている。
【００４２】
ここにおいて、第２のシート１６の上側部分１８における外面には、第１および第２のシート１４，１６とは別体とされた第３のシート３４が重ね合わされて固着されている。すなわち、本実施形態では、第３のシート３４により外面側シートが構成されているとともに、第２のシート１６により内面側シートが構成されている。この第３のシート３４は、本実施形態では、第１および第２のシート１４，１６と同様に軟質の合成樹脂により形成された薄肉の部材とされており、有色または無色透明とされているが、透光性を有していなくてもよい。なお、かかる第３のシート３４の材質は何等限定されるものではない。本実施形態では、第３のシート３４が、上下方向に延びる略矩形状とされており、当該第３のシート３４の上下方向寸法および幅方向寸法がそれぞれ、第２のシート１６の上側部分１８の上下方向寸法および幅方向寸法よりも小さくされている。
【００４３】
かかる第３のシート３４は、第２のシート１６の上側部分１８に対して、上辺部分と下辺部分における固定部３５，３５において、それぞれ所定の幅方向寸法をもって固着されている一方、幅方向両側辺部分が固着されないで開放されている。このように第２のシート１６と第３のシート３４とが互いに固定されることでこれら両シート１６，３４の間には、幅方向に貫通する挿入部３６が形成されている。すなわち、本実施形態では、かかる挿入部３６が、第２のシート１６側に設けられている。そして、当該挿入部３６における幅方向両側の開口部が、第２のシート１６と第３のシート３４との間に形成される挿入孔３８，３８とされている。本実施形態では、当該第３のシート３４が、第２のシート１６の上側部分１８における幅方向中央部分で且つプラスチックファスナー２６の固着部分を上下に跨いで設けられており、プラスチックファスナー２６の外側（図２中の紙面手前側）に挿入部３６が位置している。
【００４４】
一方、第１のシート１４の上側部分１８の外面には、引張タブ４０が固着されている。この引張タブ４０の材質は何等限定されるものではない。本実施形態では、かかる引張タブ４０が、略矩形状のシート片とされており、手指４２（図４参照）で摘める大きさで形成されている。特に、本実施形態では、当該引張タブ４０の上辺部分のみが、第１のシート１４の上側部分１８の上端に固着されており、引張タブ４０の下辺部分は自由端とされている。これにより、引張タブ４０の下辺部分を第１のシート１４から立ち上げて手指４２で摘んで外方（図１中の紙面手前方向）に引っ張ることで、第１のシート１４の主に上側部分１８も同方向に引っ張られ、第１のシート１４と第２のシート１６とが相互に離隔して、収容領域１２の開口部２４を大きく開くことができるようになっている。
【００４５】
ところで、このような医療用バッグ１０の製造方法は、何等限定されるものではないが、医療用バッグ１０の製造方法の具体的な１例を以下に説明する。
【００４６】
先ず、第１のシート１４や第２のシート１６等を、予め目的とする形状をもって準備するようにしても良いが、好適には、所定幅で長尺物の樹脂シートをロール状に巻いた状態で、第１のシート１４と第２のシート１６をそれぞれ準備する。また、プラスチックファスナー２６を構成する凸条２６ａと凹溝２６ｂも、同様に、長尺物をリール状に巻いた状態で準備する。なお、第１のシート１４に付される目盛り３２は、ロール状に巻いた状態で予め印刷されていてもよいし、第１のシート１４と第２のシート１６を溶着した後に印刷することもできる。
【００４７】
そして、樹脂シートを熱溶着するためのプレス溶着装置のプレス溶着エリアに対して、第１のシート１４の樹脂シートと、第２のシート１６の樹脂シートとを、それぞれロールから引き出して、それら両シート１４，１６を互いに重ね合わせて導き入れる。
【００４８】
また、第１および第２のシート１４，１６には、両シート１４，１６のプレス溶着エリアに至るまでの準備エリアとしてのファスナー溶着エリアにおいて、プラスチックファスナー２６を構成する凸条２６ａと凹溝２６ｂの各一方がリールから引き出されて、重ね合わされる。そして、これら凸条２６ａと凹溝２６ｂは、第１のシート１４の樹脂シートと第２のシート１６の樹脂シートとに対して、長さ方向で連続して溶着される。なお、かかる溶着は、公知のとおり、凸条２６ａや凹溝２６ｂから幅方向両側に張り出して一体的に備えるシート状部２７，２７において、第１のシート１４の樹脂シートや第２のシート１６の樹脂シートに対して長さ方向で直線状に連続的に溶着することで、凸条２６ａや凹溝２６ｂの開閉機能部分への熱影響を避けることができる。なお、凸条２６ａや凹溝２６ｂから幅方向両側に張り出して一体的に備えるシート状部２７，２７は、変形剛性が比較的大きいシート材質により形成されることが好ましい。
【００４９】
このように、予め重ね合わせ面に対してプラスチックファスナー２６を構成する凸条２６ａと凹溝２６ｂの各一方が固着されて、プレス溶着エリアに導き入れられた第１のシート１４の樹脂シートと第２のシート１６の樹脂シートは、互いに重ね合わされた状態で、目的とする医療用バッグ１０における左右両側縁部と下側縁部に設定された溶着部２８に対して溶着型が押し付けられてプレス溶着される。なお、このプレス溶着に際して、溶着部２８に位置する凸条２６ａや凹溝２６ｂは、熱変形して押しつぶされて実質的に消失する。
【００５０】
その後、プレス溶着エリアから送り出された重ね合わせシート状の溶着体は、カッティングエリアに導き入れられ、プレスカッタによって、目的とする医療用バッグ１０の平面形状で打ち抜き切断される。これにより、左右両側縁部と下側縁部が一体的に固着された第１および第２のシート１４，１６の重ね合わせ面間に、プラスチックファスナー２６で開閉可能とされた上方への開口部２４を備えた収容領域１２が形成される。
【００５１】
さらに、カッティング工程の前、或いは後の工程において、第１のシート１４に対して引張タブ４０が溶着されると共に、第２のシート１６に対して第３のシート３４が溶着される。これらの溶着は、第１および第２のシート１４，１６の相互の溶着を回避するために、例えば溶着阻止シートを第１および第２のシート１４，１６間に挟み入れた状態でプレス溶着することで実現され得る。
【００５２】
なお、カッティング工程を経て目的とする医療用バッグ１０の平面形状とされた後に、人手による個別の溶着操作により、これら引張タブ４０や第３のシート３４の溶着を行ってもよい。
【００５３】
また、ポート部材３０は、第１および第２のシート１４，１６のプレス溶着工程において、第１および第２のシート１４，１６間にポート部材３０を挟み入れた状態で、ポート部材３０に応じた凹みのある溶着型を用いてプレス溶着することで、第１および第２のシート１４，１６のプレス溶着と同時にポート部材３０も溶着することができる。或いは、ポート部材３０の固着部分だけ溶着せずに残した状態で、第１および第２のシート１４，１６の溶着部２８を溶着した後、ポート部材３０を挿し入れて別工程で溶着したり、接着固定するようにしても良い。
【００５４】
以上、本実施形態の医療用バッグ１０の製造工程を例示したが、前述したように上述の製造工程によって限定的に解釈されるものでない。例えば、プラスチックファスナー２６は、凸条２６ａと凹溝２６ｂとが噛合した状態（プラスチックファスナー２６が閉じた状態）で、第１のシート１４と第２のシート１６のプレス溶着エリアに送り込まれて、溶着部２８に対するプレス溶着と同時に、それら両シート１４，１６の各一方に対して溶着することも可能である。
【００５５】
上述の如き構造とされた本実施形態の医療用バッグ１０は、図４に示されるように、第２のシート１６側に設けられた挿入部３６における一方の挿入孔３８に対して横方から手指４２を挿し入れて、幅方向寸法が小さくされた上側部分１８，１８を握るようにして把持することができる。なお、図４では、右利きの使用者を想定して、左手で医療用バッグ１０を把持する状態が図示されており、挿入部３６における、図２中の右側の挿入孔３８から手指４２が挿し入れられて左側の挿入孔３８から手指４２の先端が突出しているが、左利きの使用者の場合には、図２中の左側の挿入孔３８から手指４２が挿し入れられてもよい。また、図４では、挿入部３６（挿入孔３８）に対して、親指を除く４本の手指４２が挿し入れられる状態が図示されているが、挿入部３６（挿入孔３８）に挿し入れられる手指の種類や本数等は限定されない。
【００５６】
かかる状態から、挿入部３６（挿入孔３８）に挿し入れられる手指４２と反対側（即ち、本実施形態では右手側）の手指で引張タブ４０を摘んで引っ張ることで、第１のシート１４の上側部分１８が引っ張られることから、第１のシート１４と第２のシート１６とが相互に離隔して、上方への開口部が開状態に保持されるようになっている。これにより、開口部２４を通じて、収容領域１２内に液状体を注入することができて、ポート部材３０および当該ポート部材３０に接続されるカテーテルなどを通じて体内に液状体が投与され得る。なお、引張タブ４０を摘んで引っ張る際には、予めプラスチックファスナー２６の凸条２６ａと凹溝２６ｂとの噛合が解除されていることが望ましいが、限定されるものでない。
【００５７】
このような本実施形態の医療用バッグ１０では、手指４２が挿し入れられる挿入部３６が第２のシート１６側にのみ設けられており、医療用バッグ１０の表裏のうち、一方のみに手指４２が挿し入れられることで医療用バッグ１０を保持することができるようになっている。これにより、例えば医療バッグの両側に手指が挿し入れるような面倒な操作が回避されて、より素早く医療用バッグ１０に液状体を注入することも可能となる。
【００５８】
特に、収容領域１２の開口部分２５において、挿入部３６の内側にはプラスチックファスナー２６が設けられて、第１および第２のシート１４，１６の剛性が部分的に大きくされていることから、挿入部３６に手指４２を挿し入れて上側部分１８を握るように把持することで、プラスチックファスナー２６による剛性部分に対して、手指４２の内面に沿わせた形状付けを容易に且つ正確に為し得る。しかも、プラスチックファスナー２６で剛性の向上が図られていることから、上側部分１８を握るようにして手指４２から把持力を加えても、局所的に折れ曲がる座屈状のいびつな変形や不安定又は不規則な変形が抑制されることとなり、第１および第２のシート１４，１６が、例えば潰れるように過剰に変形することが回避され得る。
【００５９】
また、プラスチックファスナー２６を構成する凸条２６ａと凹溝２６ｂの何れか一方が手指４２の形に沿って曲げられることにより、同じ高さ位置にある凸条２６ａと凹溝２６ｂの何れか他方も自然と曲げられる。ここで、凸条２６ａと凹溝２６ｂの何れか他方（本実施形態では、凸条２６ａ）が何れか一方（凹溝２６ｂ）側に曲がった場合は、引張タブ４０を手前に引いて、他方（凸条２６ａ）を一方（凹溝２６ｂ）とは逆側に曲げる。逆側に曲げられた他方（凸条２６ａ）は、一方（凹溝２６ｂ）が手指４２で曲げられた状態で維持されていることから、曲がった状態で維持される。これにより、収容領域１２の開口部２４の開口形状が安定して且つ大きく開いた状態に維持されて、液状体の注入操作の作業が容易となる。
【００６０】
更にまた、本実施形態では、プラスチックファスナー２６と挿入部３６とが設けられる第１および第２のシート１４，１６の上側部分１８，１８が、それぞれ一定の幅寸法をもってストレートに延びていることから、例えば幅寸法内側に抉れたような形状とされる場合に比べて、収容領域１２の開口部分２５における周方向寸法が十分に確保される。これにより、挿入部３６に手指４２を挿し入れた場合において開口部分２５の強度がある程度大きくされ、例えば親指と人差し指との間の指間部や手の平などが医療用バッグ１０の側端部に当たり手指４２をうまくプラスチックファスナー２６に沿わせることができなかったり医療用バッグ１０に対して意図せぬ変形を生じさせてしまったりといったことが回避されて、開口部２４の開口形状が一層安定して維持され得る。そして、このように収容領域１２の開口部分２５にプラスチックファスナー２６を設けることで開口形状が安定して維持されることから、本実施形態のように、医療用バッグ１０の表裏一方に手指４２を挿入するだけでも医療用バッグ１０の保持が十分に達成され得る。
【００６１】
さらに、本実施形態では、目盛り３２が、挿入部３６が設けられる第２のシート１６とは反対側の第１のシート１４に設けられていることから、挿入部３６に挿入される手指４２の陰に隠れて視認できなくなるおそれが低減され得る。特に、本実施形態では、挿入部３６が第２のシート１６の上側部分１８に設けられている一方、目盛り３２が第１のシート１４の主に下側部分２０に設けられていることから、挿入部３６と目盛り３２との上下方向での重なりも回避または低減されて、目盛り３２が視認できなくなるおそれが一層軽減され得る。
【００６２】
更にまた、本実施形態では、第１のシート１４に引張タブ４０が設けられて、挿入部３６に挿し入れられる手指４２と反対側の手指で当該引張タブ４０が引っ張られることで、収容領域１２の開口部２４が大きく開口した状態とされることから、一方の手指４２を挿入部３６に挿し入れて医療用バッグ１０を保持しつつ他方の手指で液状体を注入する操作が、より容易に、且つより確実に実現され得る。
【００６３】
次に、図５，６には、本発明の第２の実施形態としての医療用バッグ５０が示されている。本実施形態の医療用バッグ５０においても、表面側シートとしての第１のシート５２と裏面側シートとしての第２のシート５４とが相互に重ね合わされて固着されているとともに、第２のシート５４の外面には、第３のシート５６が重ね合わされて固着されている。したがって、本実施形態においても、第３のシート５６が外面側シートとされているとともに、第２のシート５４が内面側シートとされている。なお、以下の説明において、前記実施形態と実質的に同一の部材および部位には、図中に、前記実施形態と同一の符号を付すことにより詳細な説明を省略する。
【００６４】
すなわち、本実施形態においても、第１のシート５２と第２のシート５４とが相互に略同形状とされており、それぞれ縦長の略矩形状とされている。そして、これら第１のシート５２と第２のシート５４との下辺部分および両側辺部分が相互に固着されることにより、上端に開口部２４を有する収容領域１２が形成されている。なお、本実施形態の第１および第２のシート５２，５４では、前記第１の実施形態の如き幅方向寸法の小さな部分と大きな部分は形成されておらず、上下方向の略全長に亘って略一定の幅方向寸法をもってストレートに延びている。また、本実施形態においても、第１のシート５２の上側部分５８に引張タブ４０が固着されているとともに、下側部分６０に目盛り３２が付されている。なお、第１のシート５２と第２のシート５４とは略同形状とされていることから、実質的に同一の部位には、図中に、同一の符号を付すものとする。
【００６５】
さらに、本実施形態では、第１および第２のシート５２，５４の上端において、幅方向中央部分から上方に突出する吊下部６２が設けられており、吊下部６２の中央には、円形の係止孔６４が形成されている。かかる係止孔６４に対して、スタンドなどから延びるフックなどが挿通されることで、医療用バッグ５０をスタンドなどに吊り下げることができるようになっており、係止孔６４をバッグ吊下用として利用することができる。
【００６６】
ここにおいて、本実施形態の第３のシート５６は、上下方向に延びる略矩形状とされており、第２のシート５４と略同じ幅方向寸法を有するとともに、第２のシート５４と略同じか僅かに小さい上下方向寸法を有している。なお、第３のシート５６を、第１および第２のシート５２，５４と同形状として、第１および第２のシート５２，５４と同じ部材を使用することも可能である。
【００６７】
そして、当該第３のシート５６における上側部分６６には、手指４２を挿し入れる挿入孔７４（後述）となるスリット６８が形成されている。このスリット６８は、所定の寸法をもって上下方向に延びており、本実施形態では、一対のスリット６８，６８が所定の幅方向の離隔距離をもって対向している。これにより、医療用バッグ５０に対して横方向の両側から、即ち図６中の右側のスリット６８に対しても左側のスリット６８に対しても手指４２を挿し入れることができるようになっている。かかるスリット６８は、第３のシート５６の上端から所定距離だけ下方に位置した部分から下方に延び出しており、第１および第２のシート５２，５４間に設けられたプラスチックファスナー２６を跨いで形成されている。すなわち、プラスチックファスナー２６の外側（図６中の紙面手前側）にスリット６８が形成されている。
【００６８】
また、第３のシート５６における上下方向中間部分には、幅方向に延びるスリット状の開口スリット７０が形成されている。この開口スリット７０は第３のシート５６を貫通して形成されており、所定の幅方向寸法をもって、スリット６８よりも下方に設けられている。
【００６９】
本実施形態の医療用バッグ５０を製造するには、図７にも示されているように、第１のシート５２と第２のシート５４とを重ね合わせるとともに、更に第２のシート５４の外面に第３のシート５６を重ね合わせた状態で、これらシート５２，５４，５６を熱溶着により固着する。すなわち、本実施形態では、各シート５２，５４，５６の下辺部分および幅方向両側辺部分が相互に固着されている。なお、ポート部材３０は、第１のシート５２と第２のシート５４の熱溶着と同時に固着されてもよいし、第１のシート５２と第２のシート５４との熱溶着後に固着されてもよい。
【００７０】
そして、かかる第１のシート５２の外面に引張タブ４０が熱溶着されることで、本実施形態の医療用バッグ５０が製造される。なお、かかる引張タブ４０の第１のシート５２への固着は、第１のシート５２と第２のシート５４との固着と同時に行われてもよいし、第１のシート５２が第２のシート５４に固着される前や後に行われてもよい。
【００７１】
かかる構造とされた本実施形態の医療用バッグ５０においても、図８に示されているように、表裏のうち、一方のみに手指４２が挿し入れられることで医療用バッグ５０が保持される。すなわち、図８では右利きの使用者を想定して、左手の手指４２が、第２のシート５４と第３のシート５６との間に挿入されており、これら第２のシート５４と第３のシート５６との間に手指４２が挿入される挿入部７２が構成されているとともに、挿入部７２における幅方向両側の開口部が、実質的に手指４２が挿し入れられる挿入孔７４，７４とされている。したがって、本実施形態においても、挿入部７２および挿入孔７４が、剛性部材であるプラスチックファスナー２６の外側に形成されている。また、本実施形態においても、挿入部７２に対して親指を除く４本の手指４２が挿入されているが、挿入部７２に挿入される手指は何等限定されるものではない。
【００７２】
そして、本実施形態においても、上述のように医療用バッグ５０の裏面側に手指４２が挿入されて医療用バッグ５０が保持される一方、反対側の手指（即ち、右手の手指）で引張タブ４０を摘んで引っ張ることで、引張タブ４０と共に第１のシート５２が引っ張られる。これにより、第２のシート５４と第１のシート５２とが相互に離隔せしめられて、プラスチックファスナー２６が確実に開状態とされるようになっている。すなわち、凸条２６ａと凹溝２６ｂの何れか一方が手指４２で曲げられた状態に維持されていることから、凸条２６ａと凹溝２６ｂの何れか他方も自然と曲がった状態に維持されて、この結果、開口状態が維持されて、開口部２４を通じて、液状体が収容領域１２内に収容され得る。
【００７３】
なお、本実施形態では、第１のシート５２および第２のシート５４の上端において、中央に係止孔６４が形成された吊下部６２が形成されている。ここで、プラスチックファスナー２６を開状態とするに際して、引張タブ４０を引っ張ることに代えて、第１のシート５２側に設けられた係止孔６４に手指を引っ掛けて引っ張ったり、第１のシート５２側の吊下部６２を摘んで引っ張るなどしてもよい。すなわち、第１のシート５２を引っ張ることのできる引張タブが、第１のシート５２の吊下部６２により構成されてもよい。これにより、収容領域１２の開口部２４を開状態とすることのできる引張タブ（吊下部６２）に対してバッグ吊下用の係止孔６４を巧く形成することができる。なお、本実施形態では、一対の吊下部６２，６２が設けられて、それぞれに係止孔６４が形成されているが、係止孔は、一方の吊下部に設けられるだけでもよいし、吊下部以外の場所に設けられてもよい。
【００７４】
また、本実施形態では、第３のシート５６の下側部分７６、即ち開口スリット７０より下側において、周囲の三方（下辺部分および両側辺部分）が第２のシート５４に固着されている。これにより、第２のシート５４の下側部分６０と第３のシート５６の下側部分７６との間には、上方に開口スリット７０からなる開口部を有するポケット７８が形成されている。当該ポケット７８に収容されるものは何等限定されるものではないが、例えば薬液や輸液が投与される際に使用されるシリンジなどを収容してもよい。なお、開口スリット７０は、第３のシート５６を上側部分６６と下側部分７６に仕切るものではなく、第３のシート５６において上下方向中央部分よりも上方や下方に偏倚して設けられてもよいし、設けられなくてもよい。すなわち、かかるポケット７８は必須なものではない。
【００７５】
したがって、本実施形態においても、医療用バッグ５０の表裏のうちの一方である裏面側に手指４２が挿入される挿入部７２が設けられるとともに、当該挿入部７２が、剛性部材であるプラスチックファスナー２６の外側に位置していることから、前記第１の実施形態と同様に、操作性の向上と開口形状の安定性の向上が図られる。また、本実施形態では、プラスチックファスナー２６の配設位置と挿入部７２の形成位置とを含む、第１のシート５２および第２のシート５４の略全体が、略一定の幅寸法をもって上下方向にストレートに延びていることから、収容領域１２の開口部分２５も略一定の幅寸法を有している。それ故、本実施形態においても、前記第１の実施形態と同様に、更に安定して開口形状が維持され得る。
【００７６】
次に、図９，１０には、本発明の第３の実施形態としての医療用バッグ９０が示されている。本実施形態の医療用バッグ９０は、収容領域１２を構成する表面側シートとしての第１のシート９２と裏面側シートとしての第２のシート９４とを備えている。そして、第２のシート９４の内面に第３のシート９６が固着されている一方、第１のシート９２の内面に第４のシート９８が固着されている。本実施形態の第１および第２のシート９２，９４は、吊下部（６２）が設けられていない点を除いて、前記第２の実施形態の第１および第２のシート（５２，５４）と略同様の構造とされている。
【００７７】
また、本実施形態の第３および第４のシート９６，９８は、相互に略同形状とされており、それぞれ略矩形状とされている。これら第３および第４のシート９６，９８は、第１および第２のシート９２，９４の略半分程度の上下方向寸法を有しているとともに、第１および第２のシート９２，９４と略等しい幅方向寸法を有している。そして、かかる第３のシート９６の内面に凹溝２６ｂが設けられている一方、第４のシート９８の内面に凸条２６ａが設けられている。なお、これら凸条および凹溝２６ａ，２６ｂは、第４および第３のシート９８，９６に対して一体的に形成されてもよいし、別体として形成されて後固着されてもよい。本実施形態の図では、前記第１の実施形態のプラスチックファスナー（２６）と同様に、凸条および凹溝２６ａ，２６ｂが、第４および第３のシート９８，９６に対してシート状部２７，２７において後固着されているが、例えばシート状部２７，２７を設けることなく凸条および凹溝２６ａ，２６ｂを第４および第３のシート９８，９６に直接固定することで製造上のシートの数を少なくすることができる。
【００７８】
ここで、第２のシート９４における第３のシート９６との重ね合わせ部分（上側部分５８）には、前記第２の実施形態における第３のシート（５６）と同様に、一対のスリット６８，６８が形成されている。これにより、第２のシート９４と第３のシート９６との固着時には、スリット６８，６８の対向間と第３のシート９６との間において、手指（４２）を挿入する挿入部７２が形成されるとともに、挿入部７２の幅方向両側の開口部が、スリット６８を含んで構成される挿入孔７４とされる。したがって、本実施形態では、第２のシート９４が外面側シートとされているとともに、第３のシート９６が内面側シートとされて、これら両シート９４，９６が相互に固定されることで挿入部７２が形成されている。
【００７９】
すなわち、例えば第２のシート９４の内面に対して、第３のシート９６における周囲の四辺（全周縁）が熱溶着されることで、第２のシート９４と第３のシート９６との間に閉状空間が形成されるとともに、当該閉状空間に対して挿入部７２（挿入孔７４）を通じて手指（４２）を挿入することが可能とされている。そして、かかる挿入部７２が、プラスチックファスナー２６を上下に跨ぐ状態で、プラスチックファスナー２６の外側に形成されている。
【００８０】
本実施形態の医療用バッグ９０は、図１１に示されるように、第１、第２、第３、第４のシート９２，９４，９６，９８をそれぞれ重ね合わせて熱溶着により固着することで形成される。すなわち、本実施形態では、第３のシート９６が第２のシート９４に固着されることで当該第３のシート９６により第２のシート９４の内面が部分的に構成されているとともに、第４のシート９８が第１のシート９２に固着されることで当該第４のシート９８により第１のシート９２の内面が部分的に構成されている。そして、かかる第１のシート９２と第２のシート９４とが、第３及び第４のシート９６，９８を部分的に挟んで、下辺部分および幅方向両側辺部分において固着されることで、これら第１のシート９２と第２のシート９４との間に収容領域１２が形成されている。すなわち、収容領域１２の下側部分が、第１のシート９２と第２のシート９４との間に形成されているとともに、収容領域１２の上側部分が、第３のシート９６と第４のシート９８との間に形成されている。
【００８１】
また、本実施形態では、第１のシート９２の内面に対して、第４のシート９８の下辺部分および幅方向両側辺部分が固着されており、これにより、第１のシート９２と第４のシート９８との間には、上方に開口１０８を有するポケット１１０が形成されている。なお、本実施形態の医療用バッグ９０では、第４のシート９８に引張タブ４０が設けられている。尤も、かかる引張タブを設けることなく、挿入部７２に手指（４２）を挿入して医療用バッグ９０を把持した状態で、ポケット１１０の開口１０８に反対側の手指を挿し入れて引っ張ることで、開口部２４を大きく開くことも可能である。
【００８２】
以上の如き構造とされた本実施形態の医療用バッグ９０においても、手指（４２）が挿し入れられる挿入部７２が医療用バッグ９０の裏面側のみに設けられるとともに、挿入部７２が剛性部材（プラスチックファスナー２６）の外側に形成されることから、前記第１や第２の実施形態と同様に、操作性の向上と開口形状の安定性の向上が図られる。なお、本実施形態においては、前記第１や第２の実施形態と同様に４本の手指（４２）を挿し入れることを想定してスリット６８が比較的大きく形成されているが、挿し入れられる手指（４２）の本数を少なくするなど、スリット６８を小さく形成して第３のシート９６の上下端縁部を剛性部材（プラスチックファスナー２６）に近づけることで、開口形状の安定性の更なる向上が図られる。
【００８３】
本実施形態では、第１および第２のシート９２，９４においては、溶着用のシーラント層を片面（内面）のみに設ければよいことから、必要とされるシーラント材やシーラント処理を少なくすることができる。また、医療用バッグ９０の外面の略全体が、第１のシート９２と第２のシート９４により構成されて、第３および第４のシート９６，９８など他の樹脂シートと重なることがないようになっている。これにより、第１のシート９２や第２のシート９４の外面に施される印刷などが見えにくくなることが回避されて、使用者に綺麗な外観の印象を与えることができることに加えて、印刷デザインに統一感を与えることも可能となる。
【００８４】
次に、図１２，１３には、本発明の第４の実施形態としての医療用バッグ１２０が示されている。本実施形態における医療用バッグ１２０の構造は、前記第３の実施形態における医療用バッグ（９０）の構造と同様とされており、収容領域１２を構成する表面側シートとしての第１のシート１２２と裏面側シートとしての第２のシート１２４と、第２のシート１２４の内面に固着される第３のシート１２６と、第１のシート１２２の内面に固着される第４のシート１２８とを備えている。
【００８５】
なお、本実施形態における第１および第２のシート１２２，１２４も、前記第２の実施形態における第１および第２のシート（５２，５４）と略同様の構造とされている。また、本実施形態では、第１のシート１２２の内面に凸条２６ａが設けられているとともに、第２のシート１２４の内面に凹溝２６ｂが設けられて、プラスチックファスナー２６が実現されている。
【００８６】
本実施形態では、第３および第４のシート１２６，１２８の上下方向寸法が、前記第３の実施形態における第３および第４のシート（９６，９８）の上下方向寸法よりも小さくされている。すなわち、本実施形態では、第１および第２のシート１２２，１２４の上側部分５８，５８において、凸条２６ａおよび凹溝２６ｂよりも上方に第３および第４のシート１２６，１２８が位置している。
【００８７】
また、本実施形態においても、第２のシート１２４に一対のスリット６８，６８が設けられており、これら一対のスリット６８，６８の対向間と第３のシート１２６との間に挿入部７２が形成されているとともに、当該挿入部７２の幅方向両側開口部が挿入孔７４，７４とされている。したがって、第２のシート１２４が外面側シートとされているとともに、第３のシート１２６が内面側シートとされており、これら両シート１２４，１２６が相互に固定されることで挿入部７２が形成されている。また、本実施形態では、挿入部７２を下方に外れた位置にプラスチックファスナー（剛性部材）２６が位置しており、挿入部７２の外側には剛性部材（プラスチックファスナー２６）が位置していない。
【００８８】
そして、かかる第１、第２、第３、第４のシート１２２，１２４，１２６，１２８が、図１４のようにそれぞれ重ね合わされて熱溶着により固着されることにより、本実施形態の医療用バッグ１２０が構成されている。すなわち、本実施形態においても、第１および第２のシート１２２，１２４における下辺部分および幅方向両側辺部分が相互に固着されることにより、上端に開口部２４を有する収容領域１２が形成されている。また、本実施形態では、第１のシート１２２に対して第４のシート１２８の上辺部分、下辺部分および幅方向一方の側辺部分が固着されることで、第１のシート１２２と第４のシート１２８との間には幅方向他方の側辺部分に開口１０８を有する、側方開口のポケット１１０が形成されている。
【００８９】
以上の如き構造とされた本実施形態の医療用バッグ１２０では、プラスチックファスナー２６と挿入部７２の形成位置を含む第１および第２のシート１２２，１２４の上下方向略全長に亘って、幅方向寸法が略一定とされていることから、開口部２４が開状態に、より安定して維持され得る。これにより、前記第１の実施形態などと同様の効果が発揮され得る。すなわち、本発明では、本実施形態のように、挿入部が、剛性部材（プラスチックファスナー）の外側に位置していなくてもよい。
【００９０】
次に、図１５，１６には、本発明の第５の実施形態としての医療用バッグ１４０が示されている。本実施形態の医療用バッグ１４０は、前記第１の実施形態における第１および第２のシート（１４，１６）と略同様の構造とされた第１のシート１４２と第２のシート１４４と、第２のシート１４４の外面に固着される第３のシート１４６を備えている。
【００９１】
本実施形態における第３のシート１４６は、それぞれ前記第１の実施形態における第３のシート（３４）と略同様の形状とされているが、上辺より下辺が短くされて指の挿入が容易となっている。具体的には、略矩形状の１つの角（本実施形態では、下方、且つ手指４２の挿入方向基端側である図１６中の右側の角）が落とされることで下辺が短くされている。この第３のシート１４６は、前記第１の実施形態と同様に、第２のシート１４４に対して上辺部分と下辺部分が固定部３５をもって固着されている。
【００９２】
特に、本実施形態では、かかる固定部３５の長さ方向一方の端部（手指４２の挿入方向先端側（図１６中の左側）の端部）が、第２のシート１４４の幅方向略中央部分に位置している。そして、第３のシート１４６が第２のシート１４４に固着されることにより、第２のシート１４４と第３のシート１４６との間に、幅方向に貫通する挿入部１５０が形成されているとともに、当該挿入部１５０の幅方向両側の開口部により、挿入孔１５２が形成されている。すなわち、本実施形態では、第３のシート１４６が外面側シートとされているとともに、第２のシート１４４が内面側シートとされている。
【００９３】
また、第３のシート１４６は、プラスチックファスナー２６を構成する凹溝２６ｂを上下に跨いで配されている。特に本実施形態では、第３のシート１４６における上方の固定部３５が、下方の固定部３５よりも凹溝２６ｂに近い位置を平行に延びるように設定されている。
【００９４】
図１７Ａには、本実施形態の医療用バッグ１４０を把持して開口状態に維持した状態が示されている。すなわち、第２のシート１４４と第３のシート１４６との間に形成される挿入部１５０に手指４２を挿入することで収容領域１２の開口部２４が開口状態とされるとともに、更に、第１のシート１４２を、必要に応じて引張タブを設けて、引っ張ることで、収容領域１２の開口部２４が大きく開口した状態とされる。なお、図１７Ａでは、医療用バッグ１４０の裏面側に設けられる挿入部１５０（挿入孔１５２）に、使用者の左手の人差し指のみが挿入されるとともに、医療用バッグ１４０の表面側に左手の親指が位置している態様が示されているが、挿入される手指の種類や本数、および挿入されない手指の位置などは限定されない。すなわち、例えば、図１７Ｂに示されるように、挿入部１５０（挿入孔１５２）に左手の親指が挿入されて、残る４本の手指が医療用バッグ１４０の裏面側に位置していてもよい。このように、挿入部１５０（挿入孔１５２）に挿入される側の５本の手指が、医療用バッグ１４０の表裏のうちの一方の側に位置していてもよい。かかる場合において、図１７Ｂでは挿入部１５０（挿入孔１５２）に親指が挿入されているが、挿入部１５０（挿入孔１５２）に挿入される手指の種類や本数は何等限定されるものではない。尤も、挿入部１５０（挿入孔１５２）には、親指か人差し指が挿入されることが好ましい。
【００９５】
以上の如き構造とされた本実施形態の医療用バッグ１４０においても、表裏の一方に挿入部１５０が設けられて、当該挿入部１５０が、剛性部材としてのプラスチックファスナー２６の外側に設けられていることから、前記第１の実施形態などと同様の効果が発揮され得る。また、本実施形態においても、プラスチックファスナー２６や挿入部１５０の形成位置を含む収容領域１２の開口部分２５の幅方向寸法が、上下方向で略一定とされることから、前記第１の実施形態などと同様の効果が発揮され得る。
【００９６】
特に、本実施形態では、第３のシート１４６における上下の固定部３５，３５によって、第２のシート１４４の剛性を大きくして、開口部２４の開口形状の安定化などを図ることができる。例えば、第３のシート１４６における固定部３５の長さ方向の端部が、第２のシート１４４の幅方向略中央部分に位置していることから、挿入部１５０へ指を入れて開口部２４を開くことで、第２のシート１４４を、幅方向中央部分が頂点となるように屈曲乃至は湾曲させて曲げ易い。また、第３のシート１４６における下方の固定部３５に沿って第２のシート１４４の剛性も大きくされることから、下方の固定部３５における高さ位置においても、第２のシート１４４を、幅方向中央部分が頂点となるように屈曲乃至は湾曲させて曲げ易くなっている。これにより、上方の固定部３５と下方の固定部３５の長さ方向一方の端部（幅方向中央寄りの端部）により上下方向に延びる折れ軸乃至は湾曲軸が形成されることで、開口部２４の開口形状がより安定して発現および維持され得る。また、当該折れ軸を跨いで、第３のシート１４６が固着されていない側にまで手指４２（挿入部１５０に挿入されない手指を含む）を延ばすことで、折れ軸に沿って関節を屈曲させた手指の先端を第２のシート１４４の表面へ押し付けて引っ掛けるように開口方向の力を及ぼすことも可能になる。この結果、収容領域１２の開口部２４が、開口状態により安定して維持され得る。
【００９７】
以上、本発明の実施形態について説明してきたが、本発明はかかる実施形態における具体的な記載によって限定的に解釈されるものでなく、当業者の知識に基づいて種々なる変更、修正、改良などを加えた態様で実施可能である。
【００９８】
たとえば、以下のような態様も好適に採用可能である。すなわち、図１８，１９に示される医療用バッグ１６０は、図２０に示されるように、収容領域１２を構成する表面側および裏面側シートとしての第１および第２のシート１６２，１６４と、第２のシート１６４の外面に固着される第３のシート１６６と、第１のシート１６２の外面に固着される第４のシート１６８とを備えている。第３のシート１６６には、上下方向に延びるスリット６８が設けられており、第２のシート１６４と第３のシート１６６とが固着されることで、挿入部７２（挿入孔７４）が形成される。また、第３および第４のシート１６６，１６８には、幅方向に延びる開口スリット１７０が形成されて、第２および第１のシート１６４，１６２と固着された際に、これらの間に、開口スリット１７０を上方の開口とするポケット１７２が形成される。さらに、第４のシート１６８の上端部分には、幅方向に延びる挿入スリット１７４が形成されており、挿入スリット１７４に上方から手指を挿入して引っ張ることで、収容領域１２の開口部２４を大きく開くことが可能となっている。
【００９９】
更にまた、図２１，２２に示される医療用バッグ１８０も、図２３に示されるように、収容領域１２を構成する表面側および裏面側シートとしての第１および第２のシート１８２，１８４と、第２のシート１８４の外面に固着される第３のシート１８６と、第１のシート１８２の外面に固着される第４のシート１８８とを備えている。本態様では、第３および第４のシート１８６，１８８が、第２および第１のシート１８４，１８２の上側部分５８に固着されている。そして、医療用バッグ１８０の裏面側において、第２のシート１８４に対して第３のシート１８６の上辺部分および幅方向両側辺部分が固定されることで、第２のシート１８４と第３のシート１８６との間に挿入部７２（挿入孔７４）が形成されている。一方、第１のシート１８２に対して第４のシート１８８の幅方向両側辺部分と下辺部分が固着されることにより、第１のシート１８２と第４のシート１８８との間には、第４のシート１８８の上辺部分を開口１９０とするポケット１９２が形成されるようになっている。なお、ポケット１９２には、例えば前記図１８〜２０に示される態様の如き挿入スリットが設けられてもよい。以上の如き構造とされた図１８〜２３に示される医療用バッグ１６０，１８０も、前記実施形態と同様の効果が発揮され得る。
【０１００】
また、前記実施形態では、第１のシート１４，５２，９２，１２２，１４２および第２のシート１６，５４，９４，１２４，１４４が、予め凸条２６ａおよび凹溝２６ｂが固着された状態で製造されていたが、かかる態様に限定されるものではない。すなわち、表面側シートと裏面側シートとの熱溶着に際して、表面側シートと裏面側シートとの間に凸条および凹溝（または凹溝を構成する凸部）を相互に噛合した状態で挟み込んで熱溶着を行うことにより、表面側シートと裏面側シートの固着と同時に、表面側シートと凸条との固着および裏面側シートと凹溝との固着を行うことも可能である。
【０１０１】
なお、前記実施形態では、第１のシート１４，５２，９２，１２２，１４２および第２のシート１６，５４，９４，１２４，１４４に対して、別体とされた凸条２６ａおよび凹溝２６ｂが固着されていたが、これらは一体的に形成されてもよい。すなわち、表面側シートおよび裏面側シートが部分的に厚肉とされたり薄肉とされることで、プラスチックファスナーを構成する凸条や凹溝が形成されてもよい。
【０１０２】
また、前記実施形態では、収容領域１２の開口部分２５において、第１および第２のシート１４，１６よりも変形剛性の大きくされた剛性部材として幅方向に直線状に延びるプラスチックファスナー２６が設けられていたが、かかる態様に限定されるものではない。すなわち、剛性部材として、プラスチックファスナーに代えて、または加えて、面状に広がる面ファスナーや点状の凹凸などが採用されて、これらを閉状態とすることで収容領域の開口部が閉鎖されるようになっていてもよい。尤も、剛性部材は、収容領域を開閉する機能を有している必要はなく、剛性部材とは別に収容領域を開閉する部材を設けてもよいし、収容領域を開閉する部材は設けられなくてもよい。すなわち、剛性部材は、前記実施形態の如き凸条や凹溝に限定されるものではなく、例えば単なる板状の部材などであってもよい。
【０１０３】
さらに、前記実施形態では、第１のシート１４，５２，９２，１２２，１４２および第２のシート１６，５４，９４，１２４，１４４が、略同じ形状、且つ同じ材質で形成されていたが、表面側シートと裏面側シートとは相互に異なる形状とされてもよいし、相互に異なる材質で形成されてもよい。すなわち、これら表面側シートと裏面側シートとで構成される医療用バッグおよび収容領域の形状は何等限定されるものではない。更にまた、表面側シートおよび／または裏面側シートは、部分的に異なる材質で形成されてもよく、例えば部分的に変形剛性が大きくされたり小さくされてもよい。同様に、第３、第４のシートなども部分的に異なる材質で形成されてもよい。すなわち、医療用バッグを構成する各シートは、単一の層で形成されるものに限定されず、例えば基材層の表面側および／または裏面側に印刷層や溶着層（シーラント層）が積層されるなどしてもよく、備えさせたい機能に従って積層した構造とされてもよい。
【０１０４】
また、前記実施形態では、シートなどの固着が熱溶着により行われていたが、熱溶着以外の溶着や接着など、従来公知の固着手段が何れも採用され得る。
【０１０５】
さらに、前記実施形態では、目盛り３２が、第１のシート１４，５２，９２，１２２，１４２の下側部分２０，６０の外面に付されていたが、表面側シートは透明であることから、目盛りは、表面側シートの外面に代えて内面に対して付されてもよいし、表面側シートの外面と内面の両方に付されてもよい。また、表面側シートに代えて裏面側シートに目盛りを設けてもよいし、表面側シートと裏面側シートの両方に目盛りを設けてもよい。なお、裏面側シートに目盛りが設けられる場合でも、裏面側シートの外面と内面の何れに設けられてもよい。さらに、裏面側シートに目盛りを設ける場合には、医療用バッグを背面から見て液状体の収容量を把握することができるように目盛りを設けることが好適であるが、表面側および裏面側シートが透明であることから、目盛りが正面から見えるように付されてもよい。
【０１０６】
なお、前記第２の実施形態では、吊下部６２（係止孔６４）やポート部材３０が、第１および第２のシート５２，５４の幅方向中央部分に設けられており、医療用バッグ５０がスタンドに吊り下げられた際に下方に真っ直ぐ延びるようになっていた。また、これにより、第１のシート５２に付される目盛り３２を構成する直線なども、医療用バッグ５０が真っ直ぐ吊り下げられた際に見やすいように幅方向に延びていたが、かかる態様に限定されない。すなわち、係止孔は、表面側および／または裏面側シートの上端部分において幅方向一方に設けられるとともに、ポート部材が、表面側および裏面側シートの下端部分において幅方向他方に設けられてもよい。これにより、医療用バッグは、スタンドに、上下方向に対して傾斜して吊り下げられ得る。かかる場合には、目盛りを構成する直線などは、見やすいように、医療用バッグの吊下方向に対応して、幅方向に対して傾斜して延びていてもよい。
【０１０７】
更にまた、前記第１〜第５の実施形態では、手指４２を挿入する挿入孔３８，７４，１５２が幅方向で対向して一対設けられて、横方の両方向から手指が挿し入れられるようになっていたが、挿入孔は、少なくとも１つ設けられればよい。例えば挿入孔が１つしか設けられない場合、手指は、横方のうちの一方向からしか挿し入れられないようになっていてもよいし、例えば前記第２〜第４の実施形態において、スリット（挿入孔）が裏面側シートの幅方向中央部分に形成されることで、横方の両方向から手指が挿し入れられるようになっていてもよい。
【０１０８】
また、前記第１〜第５の実施形態では、利き手の違いも考慮して、挿入部への指先の差し入れ口とされる挿入孔３８，７４，１５２が左右一対設けられていたが、左右の何れか一方の側だけに挿入部が開口されて、挿入部に差し入れられた手指の先端が挿入部内に留まる態様でもよい。尤も、挿入孔（スリット）が左右一対設けられる場合であっても、手指の先端は、他方の挿入孔（スリット）から突出することなく、第３のシートにより外側から覆われて挿入部内に留まってもよい。
【０１０９】
また、前記第１、第２の実施形態では、引張タブ４０が、第１のシート１４，５２に対して上辺部分で固着されて、下辺部分を摘んで引っ張ることが可能とされていたが、かかる態様に限定されるものではない。すなわち、例えば引張タブの上辺部分と下辺部分が固着されて、表面側シートと引張タブとの間に幅方向に貫通する貫通孔が形成されてもよく、当該貫通孔に手指を側方から挿入することで、引張タブおよび表面側シートを引っ張ることができるようになっていてもよい。
【０１１０】
なお、前記実施形態では、第２のシート１６，５４，９４，１２４，１４４に第３のシート３４，５６，９６，１２６，１４６が固着されて、手指４２が挿入される挿入部３６，７２，１５０が医療用バッグ１０，５０，９０，１２０，１４０の表裏のうち裏側に設けられていたが、第３のシートが表面側シートに固着されて、手指が挿入される挿入部が医療用バッグの表側に設けられてもよい。尤も、挿入部は、第３のシートと第１または第２のシートとの間に形成されるものに限定されず、第４のシートと第１または第２のシートとの間に形成されてもよい。すなわち、手指が挿入される挿入部（挿入孔）の構成は、何等限定されるものではない。
【０１１１】
また、前記第１、第５の実施形態では、挿入部３６，１５０とプラスチックファスナー２６の形成位置を含めて、第１のシート１４，１４２および第２のシート１６，１４４の上側部分１８，１８の幅方向寸法が上下方向の略全長に亘って略一定とされていたが、収容領域の開口部分において挿入部と剛性部材を外れた位置では、幅方向寸法が一定でなくてもよく、例えば上下方向の一方に向かって次第に増加していたり減少していてもよい。同様に、前記第２〜第４の実施形態では、挿入部７２とプラスチックファスナー２６の形成位置を含めて、第１のシート５２，９２，１２２および第２のシート５４，９４，１２４の幅方向寸法が上下方向の略全長に亘って略一定とされていたが、収容領域の開口部分において挿入部と剛性部材を外れた位置では、幅方向寸法が一定でなくてもよい。
【０１１２】
さらに、前記実施形態では、挿入部３６，７２，１５０がプラスチックファスナー２６の外側に位置していたが、収容領域の開口部分において挿入部と剛性部材の形成位置における幅方向寸法が一定であれば、挿入部は剛性部材の外側になくてもよく、即ち挿入部と剛性部材とは、上下方向で重なった位置に形成されなくてもよい。なお、プラスチックファスナー２６は、挿入部に手指を入れた状態において、手の中に収まる位置にあることが好ましい。プラスチックファスナー２６が、挿入部に手指を入れた状態において手指より上方に位置していると、プラスチックファスナー２６の自閉しようとする力に対して開口する方向にうまく力を加えることが難しい。プラスチックファスナー２６が、挿入部より上方に位置していると、挿入部に入れる手指によってはプラスチックファスナー２６の自閉しようとする力に対して開口する方向にうまく力を加えることが難しい。よって、挿入部は、プラスチックファスナー２６の外側か上方に位置していることが好ましい。挿入部に入れられる手指によるが、例えば親指が入れられる場合、挿入部の上端縁より下方に１０ｃｍ以内にプラスチックファスナー２６が位置していることが好ましい。更にまた、前記実施形態では、収容領域１２の開口部分２５において、少なくとも挿入部３６，７２，１５０とプラスチックファスナー２６の形成位置における幅方向寸法が一定とされていたが、剛性部材の外側に挿入部が位置していれば、収容領域の開口部分において挿入部と剛性部材の形成位置であっても幅方向寸法は一定とされなくてもよい。
【０１１３】
更にまた、表面側シートまたは裏面側シートの外面に第３のシートが固着されて挿入部が形成される場合、表面側シートまたは裏面側シートと第３のシートとは略全面に亘って重なり合った状態で固着されてもよいが、例えば上下方向または幅方向で湾曲して弛んだ状態で固着されてもよい。
【０１１４】
また、表面側シートまたは裏面側シートと第３のシートとの固着箇所は、上下両辺部や周囲の４方に限定されず、例えば前記図２１〜２３に示される態様のように、上辺部分と両側辺部分が固着されるようであってもよい。さらに、挿入部や、表面側シートまたは裏面側シートと第３のシートとの固着箇所の数は何等限定されるものではない。例えば、固着箇所を挿入予定の手指の数だけ上下方向に増やし、各指用の挿入部を形成してもよい。
【０１１５】
本発明は、充填量を確認するための目盛りを有する経腸栄養法に用いられるバッグとして特に好適である。
【符号の説明】
【０１１６】
１０，５０，９０，１２０，１４０，１６０，１８０：医療用バッグ、１２：収容領域、１４，５２，９２，１２２，１４２，１６２，１８２：第１のシート（表面側シート）、１６，５４，１４４，１６４，１８４：第２のシート（裏面側シート、内面側シート）、２４：開口部、２５：開口部分、２６：プラスチックファスナー（剛性部材）、３２：目盛り、３４，５６，１４６，１６６，１８６：第３のシート（外面側シート）、３６，７２，１５０：挿入部、４０：引張タブ、４２：手指、６４：係止孔、９４，１２４：第２のシート（裏面側シート、外面側シート）、９６，１２６：第３のシート（内面側シート）
【図１】
2019170937.tif 000003
【図２】
2019170937.tif 000004
【図３】
2019170937.tif 000005
【図４】
2019170937.tif 000006
【図５】
2019170937.tif 000007
【図６】
2019170937.tif 000008
【図７】
2019170937.tif 000009
【図８】
2019170937.tif 000010
【図９】
2019170937.tif 000011
【図１０】
2019170937.tif 000012
【図１１】
2019170937.tif 000013
【図１２】
2019170937.tif 000014
【図１３】
2019170937.tif 000015
【図１４】
2019170937.tif 000016
【図１５】
2019170937.tif 000017
【図１６】
2019170937.tif 000018
【図１７Ａ】
2019170937.tif 000019
【図１７Ｂ】
2019170937.tif 000020
【図１８】
2019170937.tif 000021
【図１９】
2019170937.tif 000022
【図２０】
2019170937.tif 000023
【図２１】
2019170937.tif 000024
【図２２】
2019170937.tif 000025
【図２３】
2019170937.tif 000026